(57)【要約】      （修正有）【課題】筐体の小型化が可能で、かつ電池着脱操作性が良好なカメラの電源装置の提供。【解決手段】電池収納部８３、８４がマガジンの長手方向で電池パック２０１と同一寸法で形成され、電池パックの一方のパック側面２０６に形成された係合溝に係合可能な第一の係止手段６２、６３と、電池パックの他方のパック側面２０５に隣接配置され、電池パックの他方の側面に形成された係合溝に付勢力をもって係合可能な第二の係止手段６４、６５を備え、第二の係止手段はユーザーによる直接操作により揺動可能であると共に、他方のパック側面との間でユーザーの指先が侵入可能な空隙８８を形成する第一の操作面６４ｂ、６５ｂを設け、電池パックのマガジンからの取り外し時において、電池パックを掴む指先が同時に空隙に侵入し、指先と第一の操作面との干渉により、第二の係止手段が、電池の係合溝との係合を解除する方向へ揺動する、カメラの電源装置。【選択図】図１
2019071175.tif 000002
【特許請求の範囲】
【請求項１】
パック両側面（２０５、２０６）にパック長手方向に延伸する係合溝（２０９、２１０、２１１、２１２）が形成された電池パック（２０１）を、長手方向に複数個並べて収納する電池収納部（８３、８４）を備えたマガジン（３）と、マガジン（３）を筺体長手方向に挿抜可能な電池室（４）を有するカメラの電源装置において、
前記電池収納部（８３、８４）はマガジン（３）の長手方向で電池パック（２０１）と同一寸法で形成されており、
さらに電池収納部（８３、８４）は収納される電池パック（２０１）の一方のパック側面（２０６）に形成された係合溝（２１１、２１２）と係合可能でかつユーザーによる直接操作を行わない第一の係止手段（６２、６３）を備えると共に、
収納される電池パック（２０１）の他方のパック側面（２０５）に隣接配置され、電池パック（２０１）の他方の側面に形成された係合溝（２０９）に付勢力をもって係合可能な第二の係止手段（６４、６５）を備え、
第二の係止手段（６４、６５）ユーザーによる直接操作により揺動可能であると共に、パック側面（２０５）と間でユーザーの指先が侵入可能な空隙（８８）を形成する第一の操作面（６４ｂ、６５ｂ）が設けられており、
電池パック（２０１）のマガジン（３）からの取り外し時において、電池パック（２０１）を掴む指先が同時に前記空隙（８８）に侵入し、指先と第一の操作面（６４ｂ、６５ｂ）との干渉により、第二の係止手段（６４、６５）が、前記電池（２０１）の係合溝（２０９）との係合を解除する方向へ揺動する事を特徴とする、
カメラの電源装置。
【請求項２】
請求項１に記載の電源装置において、前記電池室（４）を内包する装置本体部（２）の外形には、電池室（４）の前方側に突出するように縦位置撮影時に把持される縦位置グリップ部（２９）が形成されており、前記第二の係止手段（６４、６５）はマガジン（３）の電池室（４）内への装着状態において、前記縦位置グリップ部（２９）側に位置するようにマガジン（３）上に配置されている事を特徴とする、
カメラの電源装置。
【請求項３】
請求項１または２に記載の電源装置において、
各電池収納部（８３、８４）の収納される電池パック（２０１）のパック底面（２０３）と対向する収納部床面（７０、７１）上の前記第二の係止手段（６４、６５）に近接する位置に、収納される電池パック（２０１）を取り外し方向に押し上げる付勢力を有した排出バネ（８６、８７）が設置されている事を特徴とする、
カメラの電源装置。
【請求項４】
請求項３に記載の電源装置において、
第二の係止手段（６４、６５）の上面には、前記電池（２０１）の係合溝（２０９）との係合を解除する操作のみに用いられ、第一の操作面とは異なる第二の操作面（６４ｃ、６５ｃ）が設けられている事を特徴とする、
カメラの電源装置。
【発明の詳細な説明】
【技術分野】
【０００１】
本発明は、複数の電池パック（電力供給部材）を収容可能なカメラのマガジンに関し、特にカメラの電源装置に着脱可能に構成されるマガジンに関する。
【背景技術】
【０００２】
従来より、特許文献１、特許文献２ならびに特許文献３に開示されるような縦位置グリップ機能を有する外部電源装置が知られている。これらは長時間動作の実現のため複数の電池パック（以降簡単のため「電池」と称する）を搭載し、いずれの電源装置も着脱可能なマガジン（特許文献３ではトレーと表記）に電池を長手方向に並べて収納する形態をとる事で、電源装置内の電池収納部の断面形状を極力最小限に抑え、電源装置筺体外周に形成された縦位置撮影用グリップ部の把持性を損なわないようにしている。
【先行技術文献】
【特許文献】
【０００３】
【特許文献１】特開２００９−１７０２３６号公報
【特許文献２】特開２０１７−１０７７２５号公報
【特許文献２】特許４４６２３０８号公報
【発明の概要】
【発明が解決しようとする課題】
【０００４】
近年所謂ミラーレスカメラの登場によりカメラの筺体は小型化する傾向にあるが、被写体観察時のＥＶＦもしくは背面ＴＦＴの多用や、動画撮影用途の拡大により消費電力は増加する傾向にあり、搭載する電池は可能な限り大型の物を搭載する方が良い。特許文献のような外部電源装置は装着対象となるカメラと同一の電池を収納するのが一般的なので、より大きな数の電池を複数長手方向に並べて収納した場合、装着するカメラに対して幅方向に大きく飛び出した筺体となる恐れが有り、デザイン的に好ましくないばかりか、小型化されたカメラの利点が失われてしまう。
【０００５】
例えば特許文献１の外部電源装置では、マガジンは装置筺体の一端を塞ぐ電池蓋と一体に構成され、中央のコネクタ（端子部）および電池蓋を含むマガジン長手方向両端の二つの壁面で構成された二つの収納部に電池をそれぞれ収納する。マガジンへの電池装填操作は、マガジン上方から電池を斜めに差し入れてあらかじめ電池の端子とコネクタ部を係合させてから、電池後面（端子が配置されていない側）を押し入れる形となる。電池後面は回転軌跡を描くため、収納完了状態における電池後面とマガジンの壁面との間には一定の空間が必要であり、これ以上のマガジン全長短縮は困難となる。
【０００６】
また特許文献２のマガジンは特許文献１のマガジン同様に電池蓋と一体に構成されるが、中央にはコネクタは搭載されておらずコスト低減と接続信頼性向上のためマガジンに装着された電池が直接本体と接続される構造になっている。電池は電池蓋で形成する壁面と中央およびマガジン先端の計３つの壁面にて構成された二つの収納部にそれぞれ収納する。
【０００７】
マガジンへの電池装填操作は、電池を収納部に上方から落とし込んでから、前方へスライドさせる事により係止爪で固定する。従ってスライド操作のために収納完了状態の電池後面と壁面との間には一定の空間が必要となり、これ以上のマガジン全長短縮は困難となる。
【０００８】
特許文献３の外部電源装置は他の電源装置とは異なり、電池蓋はマガジン（トレー）と一体となっておらず装置筺体側に開閉可能な蓋として取り付けられている。トレー中央にコネクタを配置する点は特許文献１の電源装置と同じであるが、長手方向両端に壁面は存在せず、電池装填操作は開放されたトレーの一端からまっすぐ電池を挿入する形となる。第１、第２の文献の電源装置では電池装填操作の関係で必要であったマガジン両端の壁面や余分な空間は不要となるため、電池の全長ぎりぎりまでの小型化が可能となる。
【０００９】
ただし特許文献３の実施例に示す電源装置においては以下の問題が生じる。第一に電池交換時に手間がかかる事である。まず電池蓋開閉とトレー着脱の二段階の操作が必要となる。またトレーへの電池着脱はトレーの長手方向に電池を「差し込む」もしくは「引き抜く」と操作であってトレーと電池それぞれを掴む両手が必要な作業となる。
【００１０】
第二に回転ヒンジを有する電池蓋の装置筺体への配置の問題である。通常カメラでは目立たない底面部に電池蓋を配置するが、複数電池を長手方向に収納する外部電源装置の電池蓋は筺体側面の比較的目立つ場所に配置される。外部電源装置を真四角な筺体にすれば回転ヒンジの配置も容易であるが、通常は装着するカメラの筺体デザインに合わせた曲面形状を多用する事が多い。従って充分な長さや軸回りの肉圧を確保したヒンジの構成が難しく、特に大型の電池を収納する場合は装置筺体に比して開口部が大きくなるためさらに難易度が増す。
【００１１】
そこで本発明は上記問題を鑑み、複数の電池を長手方向に並べて収納するカメラの外部電源装置において、電池配列方向への小型化が可能であると共に、電池着脱操作性が良好な外部電源装置を提供する。
【課題を解決するための手段】
【００１２】
上記目的を達成するために本発明では、
パック両側面（２０５、２０６）にパック長手方向に延伸する係合溝（２０９、２１０、２１１、２１２）が形成された電池パック（２０１）を、長手方向に複数個並べて収納する電池収納部（８３、８４）を備えたマガジン（３）と、マガジン（３）を筺体長手方向に挿抜可能な電池室（４）を有するカメラの電源装置において、前記電池収納部（８３、８４）はマガジン（３）の長手方向で電池パック（２０１）と略同一寸法で形成した。さらに電池収納部（８３、８４）は収納される電池パック（２０１）の一方のパック側面（２０６）に形成された係合溝（２１１、２１２）と係合可能でかつユーザーによる直接操作を行わない第一の係止手段（６２、６３）と、収納される電池パック（２０１）の他方のパック側面（２０５）に隣接配置され、電池パック（２０１）の他方の側面に形成された係合溝（２０９）に付勢力をもって係合可能な第二の係止手段（６４、６５）を備えた。
第二の係止手段（６４、６５）ユーザーによる直接操作により揺動可能であると共に、パック側面（２０５）と間でユーザーの指先が侵入可能な空隙（８８）を形成する第一の操作面（６４ｂ、６５ｂ）が設けられており、電池パック（２０１）のマガジン（３）からの取り外し時において、電池パック（２０１）掴むと同時に指先が前記空隙（８８）に侵入し、指先と第一の操作面（６４ｂ、６５ｂ）との干渉により、第二の係止手段（６４、６５）が、前記電池（２０１）の係合溝（２０９）との係合を解除する方向へ揺動するように構成した。
【発明の効果】
【００１３】
本発明によれば、電池を長手方向に並べて優れた縦位置撮影グリップ機能を実現する事に加え、電池配列方向への小型化を達成し、かつ電池着脱操作性が小型化の影響を受けない優れたマガジンタイプの電源装置を提供できる。
【図面の簡単な説明】
【００１４】
【図１】本発明を用いたマガジンを示した斜視図である。
【図２】本発明を用いたマガジンの分解斜視図である。
【図３】本発明を用いたマガジンの電池装着手順を示した断面図である。
【図４】本発明を用いたマガジンの電池装着過程の別の状態を示した断面図である。
【図５】本発明を用いたマガジンの電池取り外し操作を示した斜視図である。
【図６】カメラに本発明を用いた外部電源装置を装着した平面図である。
【図７】本発明を用いた外部電源装置の外観斜視図である。
【図８】外部電源装置からマガジンを取り外した状態を示した斜視図である。
【図９】外部電源装置の電池室を電池室開口部側から見た図である。
【図１０】電池装着済みのマガジンが装填された装置本体部の断面図である。
【図１１】本発明の実施例にかかる電池パックを示した斜視図である。
【図１２】本発明の実施例にかかるカメラ本体への電池装填方法を示した斜視図である。
【発明を実施するための形態】
【００１５】
以下に、本発明に好ましい実施の形態を添付の図面に基づいて詳細に説明する。まずは図１１を用いて撮像素子を有するカメラ本体（撮像装置）および本発明を用いた外部電源装置に使用する電池パック（電力供給部材）について説明する。図上段（ａ）は電池端子群２１７が見える方向から見た斜視図、下段（ｂ）は（ａ）とは相対する方向から見た斜視図である。
【００１６】
電池パック２０１（以降簡単のため「電池２０１」と称する）の筺体は略矩形状を成しており内部に複数のリチウムイオン電池セル等を内包する。筺体の各面は、互いが隣接する辺２２０側に後述の電池端子群２１７がまたがって配置されたパック前面２０２およびパック底面２０３を有する。また、パック前面２０２に筺体長手方向で対向するパック後面２０４、筺体長手方向に沿って複数の係合溝２０９、２１０、２１１、２１２が形成されたパック側面２０５ならびに２０６を有する。また、パック底面２０３に対向し、パック側面２０５、２０６より曲面２０５ａ、２０６ｂを介して繋がるパック天面２０７を有する。
【００１７】
電源端子群２１７はカメラ本体や外部電源装置に接続され、電源の供給を行うための電池電源端子２１８や電池残量等の通信を行うための電池通信端子２１９等で構成される。電池電源端子２１８にはパック前面２０２とパック底面２０３にまたがって、それぞれ＋−の両極に対応する一対の電源スリット２１８ａが形成されており、内部に不図示の接続接片を内包する。また電池通信端子２１９はパック前面２０２側と平行な前端部２１９ａとパック底面２０３と平行な後端部２１９ｂを有したＬ字状に形成されている。
【００１８】
パック側面２０５、２０６に形成されている係合溝２０９、２１０、２１１、２１２はパック底面２０３寄りに配置されており、パック底面２０３のパック側面２０５、２０６と隣接する両辺に設けられた複数の切り欠け溝２１５と繋がっている。
【００１９】
次に図１２は本発明を用いた外部電源装置が装着されるカメラ３０１底面から見た斜視図であり、カメラ単体状態で電池２０１が装填される様子を示している。
【００２０】
カメラ電池室３０９内奥には前述の電池端子群２１７と接続される一対のカメラ電源ブレード３０６や可撓性を有するカメラ通信接片３０７からなるカメラ端子群３１３が配置されている。従って電池端子群２１７が配置されているパック前面２０２側をカメラ電池室３０９内へ先行して挿入する向きが電池２０１の主装填方向となる。なお電池端子群２１７とカメラ端子群３１３の接続時、ブレード板３０６は電池の電源端子２１８のスリット２１８ａに入り込みカメラ通信端子３０７は電池の電池通信端子の前端部２１９ａに接触した後、後端部２１９ｂとの接触に移り変わる。
【００２１】
またカメラ電池室３０９内壁には対向して配置されるレール３０８（対向するもう一方は不図示）が形成されており、カメラ電池室３０９内へ挿入される電池のパック側面の係合溝２０９、２１１と係合し、カメラ電池室内での図中左右方向のガタを規制する。電池２０１が所定の位置まで挿入されるとバネ付勢され揺動可能な電池ロックレバー３１５により電池のパック後面２０４が仮保持され、カメラ電池蓋３０５を閉じて電池２０１の装填が完了する。
【００２２】
図１２においてカメラ３０１底面に配置されている三脚雌ネジ３１１および一対の位置決め穴３１２は、外部電源装置をカメラに装着する際の締結および位置合わせに用いられ、レセプタル側コネクタ３１４は後述の外部電源装置のプラグ側コネクタと結合し、外部電源装置との通信を行うために用いられる。
【００２３】
図６はカメラ３０１に本発明を用いた外部電源装置を装着した状態を示した平面図である。図中上段の（ａ）はカメラ３０１をレンズマウント３２０が配置された正面側から見た図、図中（ｂ）はバリアングルモニタ３２１が配置された背面側から見た図である。なお以降説明中におけるカメラ３０１と外部電源装置１の向きの記載のうち「左」「右」の表現は図６（ｂ）の背面から見た状態を基準にし、例えば外部電源装置１の電池蓋５２が配置された側は筺体の左側面となる。
【００２４】
外部電源装置１は上述のカメラ３０１の底面部に装着され、後述の理由により僅かながらカメラ３０１の筺体より左方へ突出するものの、デザイン的に違和感の無い範囲でカメラ３０１と一体化された形状となっている。なお、本実施例では、本発明を用いた電源装置をカメラ本体に着脱可能な外部電源装置１としているが、本発明はこれに限定されずカメラ本体と一体となった電源装置であっても良い。
【００２５】
外部電源装置１は縦位置撮影グリップ機能を有しており、外部電源装置１の装置本体部２には全周にグリップラバー１８が張り付けられ、筺体前面側にはカメラ３０１のグリップ部３１８に直交し、筺体長手方向（左右方向）に渡って前方に突出する縦位置グリップ部２９が形成されている。筺体側面にはカメラ３０１側の３１６、３１７に相当する縦位置撮影時用のレリーズ釦８やメイン電子ダイアル９が配置される。一方筺体背面側にはカメラ背面側の操作部材３０２、３０３に相当する、縦位置撮影用のサブ電子ダイアル１９や釦類２１等の操作部材が配置される。
【００２６】
次に図７と図８を加えて外部電源装置１の概要を説明する。図７は外部電源装置１の外観斜視図であり、図中上段（ａ）が外部電源装置１を背面上方側より見た図、下段（ｂ）が正面下方側から見た図である。また図８は外部電源装置１の装置本体部２より、本発明の特徴を備えるマガジン３を引き出した状態を示した斜視図である。
【００２７】
外部電源装置１は装置本体部２と、装置本体部２と挿抜可能で複数の電池２０１を収納可能なマガジン３とで構成される。マガジン３は装置本体部２筺体内の長手方向大半にわたって形成された電池室４に収納される。マガジン３挿入の入り口となる電池室開口部５は縦位置撮影操作において把持する手の接触がない筺体の左側面に設けられている。マガジンは３は電池を収納するマガジン本体５１と装置本体部装着時に電池室開口部５を塞いで外装の一部を成す電池蓋５２で構成されている。
【００２８】
マガジン３には電池室４へ先行して侵入する第一の電池収納部８３と遅れて侵入する第二の電池収納部８４へ合計２本の電池２０１が装着可能である。また各電池収納部８３、８４には、電池２０１が前述の電池主装填方向がマガジン３の挿入方向と一致するように、換言すれば電池２０１の長手方向とマガジン３の挿入方向が一致するように装着される。
【００２９】
マガジン３の各電池収納部８３、８４には開口部７２、７３が設けられており、各電池収納部８３、８４に収納された電池２０１の電池端子群２１７はマガジン３の下面に露出する。なお理由は後述するが、各電池収納部８３、８４はマガジン３の外部電源装置１への挿入方向と直交する方向、即ち筺体の高さ方向に段差を有した状態で配置されている。
【００３０】
マガジン３の装置本体部２への固定は、マガジン３を装置本体部２に挿入した状態でフラップ５５をつまんで回転ノブ５４を図８に示す開放状態から右旋させ、回転ノブ５４に連動回転するフック（ここでは不図示）を電池室開口部５に配置されたフック係止板７と係合させる事で行う。マガジン３装着状態において回転ノブ５４のフラップ５５は電池蓋５２に形成された凹部５２a内に収納可能である。
【００３１】
変わって外部電源装置１の本体部２上面はカメラ３０１と密着するトップカバー１４と上方へ突出するタワー部６が形成されている。タワー部６はカメラ３０１装着時にはカメラ電池室内３０９内に挿入され、タワー部６先端の電池の電池電源端子２１８と等価なタワー電源端子１３がカメラ電池室３０９内のブレード板３０６と接続される事で、収納された電池２０１の電力をカメラ３０１へ供給する。
【００３２】
トップカバー１４の中央には三脚雄ネジ１５が突出しており、三脚雄ネジ１５と不図示のギヤ列で連動する三脚ネジノブ１７の締め付け操作により前述のカメラ底面の三脚雌ねじ３１１に締め込まれ、外部電源装置１をカメラ３０１に固定する。プラグ側コネクタ１１は前述の各操作部材の操作等、外部電源装置１の動作状態を示す信号をカメラに伝達するためのものであり、前述のカメラ底面のレセプタル側コネクタ３１４と結合する。一対の位置決めピン１６はカメラ底面の位置決め穴３１２と嵌合し、外部電源装置１のカメラ装着動作時にカメラ３０１と外部電源装置１のズレを抑制してプラグ側コネクタ１１とレセプタル側コネクタ３１４の結合を案内する。
【００３３】
次に図９を加えてマガジン３が挿入される電池室４の内部構造について説明する。図９は装置本体部２を電池室開口部５側より見た図であり、上段（ａ）はマガジン３が装着されていない状態の電池室４内部を示しており、下段（ｂ）は電池２０１が収納されたマガジン３装着状態を三脚雄ネジ１５中心位置での中央断面で示している。
【００３４】
電池室４の床面には、電源ブレード３４および通信接片３５等で構成される第一の本体接続端子群３６と、電源ブレード３８および通信接片３９等で構成される第二の本体接続端子群４０が、互いに段差を有して配置されている。マガジン３を電池室４に挿入すると第一の電池収納部８３の開口部７２から露出する電池端子群２１７が第一の本体接続端子群３６に接続され、第二の電池収納部８４の開口部７３から露出する電池端子群２１７が第二の本体接続端子群３６に接続される。マガジン３の各電池収納部８３、８４は段差を有しているので、マガジン３挿入時に第一の電池収納部８３の電池端子群２１７が第二の本体接続端子群４０と干渉する事は無い。
【００３５】
通常複数電池を収納するマガジンでは、電池と直接接続するコネクタ等をマガジン上に設け、さらにマガジンと装置本体部間を接続する中継コネクタ等を設けるのが一般的である。しかしながら実施例における外部電源装置では、各電池収納部８３、８４を段差を設けたレイアウトとする事で電池２０１は電池室４内の本体接続端子群３６、４０に直接接続可能な構造とし、中継コネクタ廃止よるコストダウンと接触箇所削減による信頼性の向上を図っている。
【００３６】
なお第一、第二の本体接続端子群３６、４０の近傍にはカメラ電池室３０９内には設けられていないマガジンの各電池収納部の電池装着の有無を検知するための電池検出スイッチ突子３７、４１が配置されている。電池が装着されていた場合は電池のパック底面２０３がスイッチ突子３７、４１を押し込むことで内部の不図示のスイッチ素子が切り替わり、前記のカメラ３０１と外部電源装置１間の通信用のコネクタ介してカメラ３０１に電池の装着状態を伝達する。また第二の接続端子群４０側には、第一の接続端子群３６側には設けられていないカプラー接続端子４２が配置されている。
【００３７】
これは第二の電池収納部８４に装着可能な商用電源を用いて電力を供給する電池形状を模したカプラーが装着された場合にカプラーと通信し、カメラ３０１がカプラー装着状態を判別するためのものである。
【００３８】
上記のとおり当実施例における外部電源装置１では電池２０１の長手方向が装置本体部２の筺体長手方向と平行に並べて配置しているため、図９（ｂ）の断面図を見て分かるように電池２０１は同断面図の平面内で最小面積となり筺体の中央部分にまとめて配置されるので、電池室４の断面積を極力小さくする事が出来る。よって装置本体部２の外形形状のうち特に縦位置グリップ部２９の部分の形状自由度が高くなり、把持性の高い縦位置撮影グリップ機能を提供する事ができる。
【００３９】
以上が外部電源装置１の概要であるが、次に本発明における電源装置の特徴であるマガジン３の詳細について、図１の外観斜視図と図２の分解斜視図を用いて説明する。なお図１中上段（ａ）は電池未収納状態のマガジン３を、下段（ｂ）は電池収納状態のマガジン３を示している。
【００４０】
前述の通りマガジン３は大きく分けて第一、第二の電池収納部８３、８４を有するマガジン本体５１と、回転ノブ５４によるマガジン係止機構を備えた電池蓋５２で構成される。電池蓋５２に挿入された回転ノブ５４には、前述の電池室開口部５のフック係止板７と係合可能なフック５６が電池蓋裏面側から取り付けられ、ビス５７で締結される。さらに電池蓋５２はマガジン本体５１にビス５８で締結され一体となる。マガジン本体５１に形成された第一、第二の電池収納部８３、８４は双方とも同等な構造をなしており、ここでは各部位の番号について第二の電池収納部のものを括弧内に示す。
【００４１】
電池収納部８３（８４）は、電池２０１のパック底面２０３と対向し前述の開口部７２（７３）が形成された収納部床面７０（７１）と、収納される電池２０１のパック側面２０６に対向する第一の収納部側壁７４（７５）と、第一の収納部側壁７４（７５）に対向する第二の収納部側壁７６（７７）と、電池２０１のパック前面２０２とパック後面２０４とそれぞれ対向し電池２０１の全長とほぼ同じ間隔で配置される一対の電池仕切り壁７８、７９（７９、８０）によって構成されている。
【００４２】
第一の収納部側壁７４（７５）には請求項における第一の電池係止手段である複数の固定係止爪６２（６３）が形成されている。また第一の収納部側壁７４（７５）の略中央に形成される円弧状の切り欠け部７４ａ（７５ａ）は、後述説明する電池着脱の際に電池２０１を掴む際に指を差し入れるためのものである。
【００４３】
一方第二の収納部側壁７６（７７）は電池収納部全体には形成されておらず、収納する電池２０１のほぼ中央からパック後面２０４にかけて請求項における第二の電池係止手段であり先端に可動係止爪６４ａ（６５ａ）を有する電池ロックレバー６４（６５）が電池２０１に隣接配置される。電池ロックレバー６４（６５）は段ビス６６（６７）によってコイルばね６８（６９）と共にマガジン本体５１に回転可能に軸支固定され、コイルばね６８（６９）の作用による付勢力を受ける。電池２０１収納状態において可動係止爪６４ａ（６５ａ）はコイルばね６８（６９）の付勢力により、電電池２０１の係合溝２０９へ入り込む。
【００４４】
ロックレバー６４（６５）の電池２０１に面する側には、収納された電池２０１のパック側面２０５との間で谷状の空隙８８（８９）を形成するように配置された第一の操作面６４ｂ（６５ｂ）が設けられている。また第一の操作面６４ｂ（６５ｂ）は電池ロックレバー６４先端側（換言すると収納された電池のパック前面２０２側）に向かうにつれてパック側面２０５との間隔が狭くなるように形成されている。また第一の操作面６４ｂ（６５ｂ）に隣接するロックレバー６４（６５）天面にはドット状の突起を有する第二の操作面６４ｃ（６５ｃ）が設けられている。
【００４５】
さらに電池収納部８３（８４）の収納部床面７０（７１）には電池ロックレバー６４（６５）に近接する位置で、くの字状の排出バネ８６（８７）が取り付けられている。
【００４６】
前述の図９（ｂ）から明らかなように、マガジン３を電池室４内に装填している状態では電池ロックレバー６４（６５）は電池室４の縦位置グリップ部２９に入り込んだ部分に配置されるため、外部電源装置１の筺体形状には影響を及ぼさない。また電池ロックレバー６４（６５）は隣接する電池室４の壁面４ｄで押さえこまれた状態となるので、電池の係合溝２０９との係合が外れる事は無い。
【００４７】
まず図３を用いて電池２０１の電池収納部８３、８４への装着手順を説明する。なお第一の電池収納部８３と第二の電池収納部８４は基本的に同一構造なので、以降は第一の電池収納部８３を用いて説明する。
【００４８】
図中（ａ）から（ｄ）は装着操作を段階的に示したもので、電池収納部８３をロックレバー６４の回転軸近傍で切断した断面図となっている。なお同図において切断位置の関係で電池２０１の係合溝はパック後面側の２１０、２１２が見えているが、紙面奥側に配置されている係合溝２０９、２１１と同一とみなして良い。
【００４９】
まず図中（a）から（ｂ）に示すように、電池２０１を傾けた状態でマガジン３の上方から電池収納部８３へ落とし込むと共に図中右方向へずらしてゆき、電池２０１の図中右側の係合溝２１１、２１２を第一の収納部側壁７４に形成された固定係止爪６５に係合させる。一方電池２０１の電池ロックレバー６４側は、パック底面２０３が排出バネ８６先端の先端か電池ロックレバー６４の可動係止爪６４ａ上部の傾斜面６４ｄと接触する事で、図（ｂ）の状態で姿勢維持可能になる。
【００５０】
次に図中（ｂ）の姿勢の状態から、電池２０１の電池ロックレバー６４側を排出バネ８６の付勢力に抗して押し込むと、図中（ｃ）に示すように電池ロックレバーの傾斜面６４ｄとの接触の作用で電池ロックレバー６４は可動係止爪６４ａが外側に逃げるように揺動する。電池２０１が図中（ｄ）に示す位置、即ち収納完了位置まで押し込まれると、電池ロックレバー６４の可動係止爪が前述のコイルばねの付勢力により電池収納部８３側へ回動し、電池の係合溝２０９と係合する。以上により電池２０１は固定係止爪６５および可動係止爪６４ａで両側面が保持され電池装填操作が完了する。
【００５１】
上記説明では電池２０１の装着は段階的動作の表現となっているが、図中（ａ）から（ｄ）の一連の操作は片手で電池２０１を掴んだ状態で素早く行う事が可能であり、マガジン３を支えていなくても操作は可能である。
【００５２】
また本実施例における固定係止爪６２、６３はマガジン本体５１に一体形成されまったく動かないものであるが、有る程度弾性をもって揺動する物であっても良い。その理由は図４に示すように電池２０１を電池収納部８３へ若干乱暴に落とし込んで電池のパック底面２０３が固定係止爪６２の上に干渉した場合に、干渉量が少なければ前述の電池ロックレバー６４側の電池を押し込む力で、固定係止爪６２が斜面６２ａの効果により図中右方向へ逃げて電池の装填が完了出来るからである。弾性を得るには固定係止爪６２、６３が形成された第一の収納部側壁７４、７５に適度なスリットを形成するか、第一の収納部側壁７４、７５自体を弾性を有した別部材とする事で実現可能である。
【００５３】
また弾性を有していても前述の電池ロックレバー６４と同様に、マガジン３を電池室４内に装填している状態では電池室４の壁面４ｃで押さえこまれているので電池係合溝２１１、２１２から外れる事は無い。
【００５４】
次に電池２０１の電池収納部８３からの取り外し手順を説明する。電池２０１の取り外し操作は電池ロックレバー６４を直接操作して可動係止爪６４ａと電池の係合溝２０９との係合を解除する事から始める。本発明のマガジンにおける係合解除時の電池ロックレバー６４操作方法は、図５（ａ）に示す前述の第一の操作面４ｂを用いた第一のロック解除操作手段と、図５（ｂ）に示す第二の操作面４ｃを用いた第二のロック解除操作手段の二通りが有る。
【００５５】
第一のロック解除操作手段である第一の操作面４ａによる操作をでは、電池２０１の両側面を指で掴むと同時に、親指を前述の電池ロックレバー６４の第一の操作面によって形成された空隙８８に差し入れる。空隙８８は電池２０１の中央寄りに配置され、対向する第一の収納部側壁７４に形成された切り欠け部７４ａとの位置関係も相まって、電池２０１を取り出そうとして掴んだ指先が自然に入り込み易くなっている。
【００５６】
空隙８８は指先の太さより若干狭く設定され、かつ前述したように電池ロックレバー６４の先端側へ向かうに従って狭くなっているので、第一の操作面６４ｂに掛かる指先が電池ロックレバー６４先端を押し開き、可動係止爪６４ａと電池２０１の係合溝２０９との係合を解除する。従って電池２０１を掴んだ状態でこのまま図３に示す電池装着操作の逆工程になるように電池２０１を持ち上げていくと、電池２０１の取り外しが完了する。以上説明したとおり第一の操作面６４ｂを用いる第一のロック解除手段は、電池を掴んで持ち上げるだけの所謂ワンアクション操作となる。
【００５７】
一方第二のロック解除操作手段である第二の操作面による操作では、ユーザーは最初に第二の操作面６４ｃに指先を掛けてロックレバーの可動係止爪６４ａと電池の係合溝２０９との係合をあらかじめ解除する。すると電池２０１下面で圧縮されていた排出バネの付勢力により電池２０１のロックレバー６４側が即時に持ち上げられ前述した図３（ｂ）の状態に変移する。
【００５８】
従って電池ロックレバー６４から指先を離しても可動係止爪６４ａは電池の係合溝２０９には掛からないので、このまま電池２０１を指で掴んで持ち上げていけば電池の取り外しが完了する。以上説明したとおり、第二のロック解除操作手段は、あらかじめロックレバー６４を係止解除してから電池を掴んで持ち上げるツーアクション操作となる。ただしツーアクションという点が主体となるので、第二のロック解除操作手段は第一の操作面に指を掛ける方法であっても構わない。
【００５９】
通常は第一のロック解除操作手段のみを用いれば素早い取り外し動作が可能であり非常に良好な操作性を得られるが、第二のロック解除操作手段を設けている理由は、例えばユーザーが厚手の手袋をはめて電池ロックレバー６４と電池２０１間の空隙８８に指が入らない場合等に備えるためである。また第二のロック解除手段を搭載しない場合には第一のロック解除手段のみの電池取り外し方法となり、排出バネ８６、８７は搭載しなくても電池２０１の取り外し操作は可能である。
【００６０】
以上が本発明の特徴を示すマガジン３の説明であるが、上記の構成となっている理由について説明する。図１０は電池収納済みのマガジン３を電池室４に装着した装置本体部２を、筺体長手方向に切断して背面側から見た断面図である。図中矢印Ａで示す二点鎖線より右方はサブ電子ダイアル１９の回転軸で、図中矢印Ｂで示す二点鎖線より左方はマガジンの回転ノブ５４の回転軸で切断している。
【００６１】
装置本体部２内部の右側面側には縦位置グリップ機能専用のサブ電子ダイアル１９とサブ電子ダイアル１９の回転を検知するロータリースイッチ２０がレイアウトされ、その分装置本体部２内にマガジン３を挿入するスペース（即ち電池室４）の大きさが限られてしまう。前述のとおり良好な把持性を有する縦位置グリップ部２９を提供するには電池２０１を長手方向に並べる手法は変えられないので、外部電源装置１の大型化を避けるには、マガジン３の全長を可能な限り短くする事が必要となる。特に近年のミラーレスカメラの登場によりカメラの筺体は小型化する傾向にあり、外部電源装置の小型化も必須事項となっている。
【００６２】
本発明を用いたマガジン３は電池収納部８３、８４を仕切る電池長手方向に配置された電池仕切り壁７８、７９、８０の間隔を電池２０１の全長と略同一とする事で、全長を限界まで詰めている。なお本実施例では外部電源装置１の左側面が電池蓋５２分だけカメラ３０１より僅かに突出してしまっているが、サブ電子ダイアル１９が無ければカメラの左側面と合わせられるほど充分に小型化が可能である。
【００６３】
ところで電池収納部８３、８４の長さと電池２０１の全長が同一で合った場合、電池装填時の姿勢の自由度が少なくなり、電池２０１の装填方向が制限される。例えば、従来からある複数電池を装着可能とし各電池に対応したコネクタを設けたマガジンで、かつ電池が本実施例のように電源端子２１８に設けられたスリット内にブレードを差し込んで接続する方式であった場合、電池は電池端子群が配置された底面とマガジンの電池収納部の床面を平行に保ったまま真上から真っ直ぐ装填しなければならない。
【００６４】
さらに外部電源装置の使用中に振動等でコネクタとの接続ズレ（浮き）が生じないように電池をマガジンに保持する機構が必要であるが、本実施例における電池両側面の係合溝２０９、２１０を保持する係止爪のようなものをマガジンに設けた場合、前述のマガジン真上からの電池装填において干渉してしまうため何らかの工夫が必要となる。
【００６５】
本実施例における外部電源装置１では、前述説明したようにマガジン３には電池端子群２１７と接続するコネクタを設けず、マガジン３を装置本体部２に装着した際に初めて電池室４内に設けられた本体接続端子群３６、４０と接続されるように構成している。従って電池２０１をマガジン３に装着する際には電池端子群２１７の制約を受けず電池装填方向の自由度が上がっている。
【００６６】
詳しく言うと電池２０１はマガジン３の全長方向に対して平行な姿勢でかつマガジン３全長方向に直交する方向からしか電池収納部８３、８４に挿入出来ないが、マガジン全長方向の軸周りの回転は可能である。従って前述説明した電池２０１のマガジン３への装着操作の中で、電池接続部２１７の干渉等を発生させず容易に電池の係合溝２１１、２１２とマガジンの固定係止爪６２、６３への係合が出来る。さらに固定係止爪６２、６３と反対側には、付勢力を有しユーザーの直接の操作により揺動可能な電池ロックレバー６４を配置する事で、電池２０１の係止および係止解除操作を容易にしている。
【００６７】
以上が本発明を用いた外部電源装置の構成である。前述したとおり複数の電池を装着可能とする外部電源装置１に電池を長手方向に並べたマガジンを用いることで、把持性の良い縦位置撮影用グリップ機能を提供することが出来る。さらに本発明を用いる事でマガジン３の全長を短縮し、電池配列方向における外部電源装置１の筺体の小型化を達成出来る。さらに本発明を用いる事で、マガジン３の小型化により電池の装着方向が制限されてしまっても、電池着脱操作性に優れたマガジン３の提供を可能とする。
【００６８】
なお本実施例における外部電源装置ではマガジン３の電池収納部８３、８４が互いに段差を有し配列され、各電池収納部８３、８４の電池端子群２１７を接続端子群３６、４０とそれぞれ直接接続する構造となっているが、接続方向の自由度が有る等、電池の接続端子群の接続方式によってはこの限りでは無く、本発明の構成要件を制限するものでは無い。
【００６９】
また本発明は複数電池を長手方向に並べて収納する電源装置に特に有効だが、単数の電池を収納するものに用いても構わない。
【符号の説明】
【００７０】
１・・・外部電源装置
２・・・装置本体部
３・・・マガジン
４・・・電池室
３６・・・第一の接続端子群
４０・・・第二の接続端子群
５１・・・マガジン本体
５２・・・電池蓋
６２、６３・・・固定係止爪７４（７５
６４、６５・・・電池ロックレバー
６４ａ、６５ａ・・・可動係止爪
６４ｂ、６５ｂ・・・第一の操作面
６４ｃ、６５ｃ・・・第二の操作面
８３・・・第一の電池収納部
８４・・・第二の電池収納部
２０１・・・電池（パック型電池）
【図１】
2019071175.tif 000003
【図２】
2019071175.tif 000004
【図３】
2019071175.tif 000005
【図４】
2019071175.tif 000006
【図５】
2019071175.tif 000007
【図６】
2019071175.tif 000008
【図７】
2019071175.tif 000009
【図８】
2019071175.tif 000010
【図９】
2019071175.tif 000011
【図１０】
2019071175.tif 000012
【図１１】
2019071175.tif 000013
【図１２】
2019071175.tif 000014